(57)【要約】【課題】操作性の向上を図るとともに、換気と清掃とを良好に行うことができる建具を提供すること。【解決手段】開口枠１０に対して障子２０を閉めた際に互いに対向する左縦框２３及び左縦枠１３の一方に配設される噛合ピン４１，４３と、左縦框２３及び左縦枠１３の他方に配設され、かつ噛合ピン４１，４３の進入を許容するとともに左縦框２３の長手方向に対して傾斜延在する傾斜溝部４２１，４４１を有する噛合溝４２ａ，４４ａが形成された噛合部４２，４４とを備えた第１開閉機構４０と、上框２１，下框２２において操作ハンドル３０に連係されるとともに上框２１，下框２２の長手方向に沿ってスライド移動可能に配設される下框スライダ５１，上框スライダ５６と、上枠１１，下枠１２に連結されるとともに障子２０に連結されたステイ部材５２，５７とを備えた第２開閉機構５０とを備えたものである。【選択図】図２
2014118803.tif 000002
【特許請求の範囲】
【請求項１】
開口枠と障子との間に介在して、障子を開口枠の見込み方向に沿って開閉移動させる開閉手段を備えた建具において、
前記開閉手段は、
開口枠に対して障子を閉めた際に互いに対向する障子の第１框及び開口枠の第１枠の一方に配設される噛合ピンと、その他方に配設され、噛合ピンの進入を許容するとともに第１框の長手方向に対して傾斜延在する傾斜溝部を有する噛合溝が形成された噛合部とを備え、噛合ピン及び噛合部の一方が操作ハンドルに連係手段を介して連係される第１開閉機構と、
第１框に連結された第２框においてその長手方向に沿ってスライド移動可能に配設され、前記操作ハンドルに連係手段を介して連係されたスライド部材と、開口枠と障子とに連結されるとともに前記スライド部材と連係するステイ部材とを備えた第２開閉機構とを備えてなり、
前記操作ハンドルが閉位置にある場合には、第１開閉機構が噛合ピン及び噛合部の一方を第１基準位置に位置させて噛合溝に噛合ピンを進入させた噛合状態とさせて障子の第１框側を開口枠に対して閉じた状態とし、かつ第２開閉機構がスライド部材を第２基準位置に位置させてスライド部材及びステイ部材の一方に配設される突起部をその他方に配設される長孔に進入させて障子の第１框の反対側を開口枠に対して閉じた状態とし、
前記操作ハンドルが閉位置から第１開位置に操作された場合には、第１開閉機構が噛合ピン及び噛合部の一方を第１基準位置から第１変位位置までスライド移動させることにより噛合ピンを傾斜溝部に沿って移動させて障子の第１框側を開口枠に対して開移動させ、かつ第２開閉機構がスライド部材を第２基準位置から第１移動位置にスライド移動させることにより第２框の長手方向に対して傾斜延在する前記長孔を構成する第１傾斜孔部に突起部を移動させて障子の第１框の反対側を開口枠に対して開移動させるようにし、
前記操作ハンドルが第１開位置から第２開位置に操作された場合には、第１開閉機構が噛合ピン及び噛合部の一方を第１変位位置から第２変位位置までスライド移動させることにより、噛合ピンを噛合溝から離脱させて障子の第１框側を開閉端とさせ、かつ第２開閉機構がスライド部材を第１移動位置から第２移動位置にスライド移動させることにより、第１傾斜孔部の延在方向に対して傾斜延在する前記長孔を構成する第２傾斜孔部に突起部を移動させて障子の開閉移動を許容することを特徴とする建具。
【請求項２】
前記噛合部は、前記第１框に配設され、第２変位位置に位置する場合に通過域を通じて前記噛合溝に対する前記噛合ピンの進入及び離脱を許容するものであり、
前記通過域に対して進退移動可能に設けられ、前記噛合部が第１基準位置及び第１変位位置に位置する場合には、第１框により通過域に対する進出移動が規制されて該通過域より退行移動した状態となることで噛合部のスライド移動を許容し、かつ前記噛合部が第２変位位置に位置する場合において噛合ピンが前記通過域に位置するときには、該噛合ピンにより通過域に対する進出移動が規制されて該延在端部より退行移動した状態となることで噛合部のスライド移動を許容する一方、噛合ピンが前記通過域を通じて離脱するときには、通過域に対して進出移動することで噛合部のスライド移動を規制するストッパ部材を備えたことを特徴とする請求項１に記載の建具。
【請求項３】
前記第１開閉機構は、前記開口枠を構成する一方の縦枠に配設される噛合ピンと、前記障子を構成する一方の縦框に配設された噛合部とを備えてなり、前記操作ハンドルが閉位置にある場合には、該操作ハンドルに連係手段を介して連係された噛合部を第１基準位置に位置させて前記噛合溝に噛合ピンを進入させた噛合状態とさせて障子の一方の縦框側を開口枠に対して閉じた状態とし、前記操作ハンドルが閉位置から第１開位置に操作された場合には、噛合部を第１基準位置から第１変位位置までスライド移動させることにより、噛合ピンを傾斜溝部に沿って移動させて障子の一方の縦框側を開口枠に対して開移動させ、前記操作ハンドルが第１開位置から第２開位置に操作された場合には、噛合部を第１変位位置から第２変位位置までスライド移動させることにより、噛合ピンを噛合溝から離脱させて障子の一方の縦框側を開閉端とさせることを特徴とする請求項１又は請求項２に記載の建具。
【請求項４】
前記第２開閉機構は、前記開口枠を構成する上框及び下框のそれぞれにおいて操作ハンドルに連係手段を介して連係されるとともに上框及び下框の長手方向に沿ってスライド移動可能に配設されるスライド部材と、前記開口枠を構成する上枠及び下枠のそれぞれに連結されるとともに前記障子に連結されたステイ部材とを備えてなり、前記操作ハンドルが閉位置にある場合には、スライド部材を第２基準位置に位置させてスライド部材に形成される突起部をステイ部材に配設される長孔に進入させて障子の他方の縦框側を開口枠に対して閉じた状態とし、前記操作ハンドルが閉位置から第１開位置に操作された場合には、スライド部材を第２基準位置から第１移動位置にスライド移動させることにより、上框及び下框の長手方向に対して傾斜延在する前記長孔を構成する第１傾斜孔部に突起部を移動させて障子の他方の縦框側を開口枠に対して開移動させ、前記操作ハンドルが第１開位置から第２開位置に操作された場合には、スライド部材を第１移動位置から第２移動位置にスライド移動させることにより、第１傾斜孔部の延在方向に対して傾斜延在する前記長孔を構成する第２傾斜孔部に突起部を移動させて障子の開閉移動を許容するものであることを特徴とする請求項１〜３のいずれか１つに記載の建具。
【発明の詳細な説明】
【技術分野】
【０００１】
本発明は、建具に関し、より詳細には、例えば平行突き出し窓のように障子全体を開口枠の見込み方向に移動させたり、例えば縦すべり出し窓のように障子の一側縁部を構成する框を開閉端として開口枠の見込み方向に移動させたりすることが可能な多方向開放窓のような建具に関するものである。
【背景技術】
【０００２】
多方向開放窓のような建具の従来技術としては、例えば特許文献１に記載のものが提供されている。この建具は、開口枠と障子との間にリンク部材を備えている。リンク部材は、開口枠の上枠と障子の上框との間、並びに開口枠の下枠と下框との間をそれぞれ連結する左右のリンクアームを備えている。これらリンクアームは、一端が回動軸連結され、他端がスライド連結されている。
【０００３】
このような建具においては、すべてのリンクアームを開口枠の見込み方向に沿って回動させることで開口枠に対して障子を平行に突き出すよう開移動させることが可能であるとともに、障子が開口枠を閉じた状態にある場合に左右一方のリンクアームを開口枠の見込み方向に沿って回動させることで開口枠に対して障子の左右一方を開移動させることが可能である。そして、かかる構成を採用する結果、風の向きに応じて障子を開移動させることで換気性能を向上させることができる。
【先行技術文献】
【特許文献】
【０００４】
【特許文献１】特開２０１２−１３６９２６号公報
【発明の概要】
【発明が解決しようとする課題】
【０００５】
ところが、上述した特許文献１に提案されているような建具では、左右のリンクアームの回動を調整することにより障子を開口枠に対して開移動させているので、障子の左右一方を開移動させる場合にも開口枠に対する障子の開度が十分に大きなものとはならず、障子の清掃を行うことが困難であった。また、左右のリンクアームが互いに連係している構成ではないので、１つの操作ハンドルを操作することにより障子の開移動パターンを調整することができず、操作性が良好なものとはいえなかった。
【０００６】
本発明は、上記実情に鑑みて、操作性の向上を図るとともに、換気と清掃とを良好に行うことができる建具を提供することを目的とする。
【課題を解決するための手段】
【０００７】
上記目的を達成するために、本発明に係る建具は、開口枠と障子との間に介在して、障子を開口枠の見込み方向に沿って開閉移動させる開閉手段を備えた建具において、前記開閉手段は、開口枠に対して障子を閉めた際に互いに対向する障子の第１框及び開口枠の第１枠の一方に配設される噛合ピンと、その他方に配設され、噛合ピンの進入を許容するとともに第１框の長手方向に対して傾斜延在する傾斜溝部を有する噛合溝が形成された噛合部とを備え、噛合ピン及び噛合部の一方が操作ハンドルに連係手段を介して連係される第１開閉機構と、第１框に連結された第２框においてその長手方向に沿ってスライド移動可能に配設され、前記操作ハンドルに連係手段を介して連係されたスライド部材と、開口枠と障子とに連結されるとともに前記スライド部材と連係するステイ部材とを備えた第２開閉機構とを備えてなり、前記操作ハンドルが閉位置にある場合には、第１開閉機構が噛合ピン及び噛合部の一方を第１基準位置に位置させて噛合溝に噛合ピンを進入させた噛合状態とさせて障子の第１框側を開口枠に対して閉じた状態とし、かつ第２開閉機構がスライド部材を第２基準位置に位置させてスライド部材及びステイ部材の一方に配設される突起部をその他方に配設される長孔に進入させて障子の第１框の反対側を開口枠に対して閉じた状態とし、前記操作ハンドルが閉位置から第１開位置に操作された場合には、第１開閉機構が噛合ピン及び噛合部の一方を第１基準位置から第１変位位置までスライド移動させることにより噛合ピンを傾斜溝部に沿って移動させて障子の第１框側を開口枠に対して開移動させ、かつ第２開閉機構がスライド部材を第２基準位置から第１移動位置にスライド移動させることにより第２框の長手方向に対して傾斜延在する前記長孔を構成する第１傾斜孔部に突起部を移動させて障子の第１框の反対側を開口枠に対して開移動させるようにし、前記操作ハンドルが第１開位置から第２開位置に操作された場合には、第１開閉機構が噛合ピン及び噛合部の一方を第１変位位置から第２変位位置までスライド移動させることにより、噛合ピンを噛合溝から離脱させて障子の第１框側を開閉端とさせ、かつ第２開閉機構がスライド部材を第１移動位置から第２移動位置にスライド移動させることにより、第１傾斜孔部の延在方向に対して傾斜延在する前記長孔を構成する第２傾斜孔部に突起部を移動させて障子の開閉移動を許容することを特徴とする。
【０００８】
この発明によれば、操作ハンドルが閉位置から第１開位置に操作された場合には、第１開閉機構が障子の第１框側を開口枠に対して開移動させ、かつ第２開閉機構が障子の第１框の反対側を開口枠に対して開移動させるので、障子全体を開口枠に対して見込み方向に平行に突き出した状態にすることができ、障子の上下左右に開口枠との隙間を形成して換気性能の向上を図ることができる。また、操作ハンドルが第１開位置から第２開位置に操作された場合には、第１開閉機構が障子の第１框側を開閉端とさせ、かつ第２開閉機構が障子の開閉移動を許容するので、障子全体を開口枠の見込み方向に沿って平行に突き出した状態から障子を必要な開度分だけ開移動させることができ、障子の清掃を良好に行うことができる。しかも第１開閉機構及び第２開閉機構の構成要素は、連係手段を介して操作ハンドルに連係しているので、操作ハンドルが操作されるだけで障子の開移動パターンを調整できるので、操作性を良好なものとすることができる。
【０００９】
また、本発明は、上記建具において、前記噛合部は、前記第１框に配設され、第２変位位置に位置する場合に通過域を通じて前記噛合溝に対する前記噛合ピンの進入及び離脱を許容するものであり、前記通過域に対して進退移動可能に設けられ、前記噛合部が第１基準位置及び第１変位位置に位置する場合には、第１框により通過域に対する進出移動が規制されて該通過域より退行移動した状態となることで噛合部のスライド移動を許容し、かつ前記噛合部が第２変位位置に位置する場合において噛合ピンが前記通過域に位置するときには、該噛合ピンにより通過域に対する進出移動が規制されて該延在端部より退行移動した状態となることで噛合部のスライド移動を許容する一方、噛合ピンが前記通過域を通じて離脱するときには、通過域に対して進出移動することで噛合部のスライド移動を規制するストッパ部材を備えたことを特徴とする。
【００１０】
この発明によれば、噛合部が第２変位位置に位置する場合において噛合ピンが通過域を通じて離脱するときには、ストッパ部材が通過域に対して進出移動することで噛合部のスライド移動を規制するので、操作ハンドルを第２開位置に維持させることができる。これにより、障子を開口枠に対して必要な開度分だけ開閉移動させる際に操作ハンドルが操作されることを抑制することができる。
【００１１】
また、本発明は、上記建具において、前記第１開閉機構は、前記開口枠を構成する一方の縦枠に配設される噛合ピンと、前記障子を構成する一方の縦框に配設された噛合部とを備えてなり、前記操作ハンドルが閉位置にある場合には、該操作ハンドルに連係手段を介して連係された噛合部を第１基準位置に位置させて前記噛合溝に噛合ピンを進入させた噛合状態とさせて障子の一方の縦框側を開口枠に対して閉じた状態とし、前記操作ハンドルが閉位置から第１開位置に操作された場合には、噛合部を第１基準位置から第１変位位置までスライド移動させることにより、噛合ピンを傾斜溝部に沿って移動させて障子の一方の縦框側を開口枠に対して開移動させ、前記操作ハンドルが第１開位置から第２開位置に操作された場合には、噛合部を第１変位位置から第２変位位置までスライド移動させることにより、噛合ピンを噛合溝から離脱させて障子の一方の縦框側を開閉端とさせることを特徴とする。
【００１２】
この発明によれば、第１開閉機構を構成する噛合ピンを縦枠に配設したので、縦枠に噛合部を配設するのに比して目立たなくすることができ、意匠性にも優れたものとすることができる。
【００１３】
また、本発明は、上記建具において、前記第２開閉機構は、前記開口枠を構成する上框及び下框のそれぞれにおいて操作ハンドルに連係手段を介して連係されるとともに上框及び下框の長手方向に沿ってスライド移動可能に配設されるスライド部材と、前記開口枠を構成する上枠及び下枠のそれぞれに連結されるとともに前記障子に連結されたステイ部材とを備えてなり、前記操作ハンドルが閉位置にある場合には、スライド部材を第２基準位置に位置させてスライド部材に形成される突起部をステイ部材に配設される長孔に進入させて障子の他方の縦框側を開口枠に対して閉じた状態とし、前記操作ハンドルが閉位置から第１開位置に操作された場合には、スライド部材を第２基準位置から第１移動位置にスライド移動させることにより、上框及び下框の長手方向に対して傾斜延在する前記長孔を構成する第１傾斜孔部に突起部を移動させて障子の他方の縦框側を開口枠に対して開移動させ、前記操作ハンドルが第１開位置から第２開位置に操作された場合には、スライド部材を第１移動位置から第２移動位置にスライド移動させることにより、第１傾斜孔部の延在方向に対して傾斜延在する前記長孔を構成する第２傾斜孔部に突起部を移動させて障子の開閉移動を許容するものであることを特徴とする。
【００１４】
この発明によれば、第２開閉機構を構成するスライド部材に突起部を形成し、かつステイ部材に長孔を形成したので、スライド部材における障子の見込み方向に沿った長さが過大なものとなることを抑制することができる。
【発明の効果】
【００１５】
本発明によれば、操作性の向上を図るとともに、換気と清掃とを良好に行うことができるという効果を奏する。
【図面の簡単な説明】
【００１６】
【図１】図１は、本発明の実施の形態である建具を室内側から見た場合を示す斜視図である。
【図２】図２は、図１に示した建具を構成する障子の要部を示す分解斜視図である。
【図３】図３は、中間作動部の構成を示す斜視図である。
【図４】図４は、図１に示した建具を構成する上部開閉ユニットの構成を示す拡大図であり、（ａ）は上部噛合部が下限位置に位置する状態を示し、（ｂ）は上部噛合部が中間位置に位置する状態を示し、（ｃ）は上部噛合部が上限位置に位置する状態を示している。
【図５】図５は、図１に示した建具を構成する下部開閉ユニットの構成を示す拡大図であり、（ａ）は下部噛合部が上限位置に位置する状態を示し、（ｂ）は下部噛合部が中間位置に位置する状態を示し、（ｃ）は下部噛合部が下限位置に位置する状態を示している。
【図６】図６は、上限位置に位置する下部噛合部を示すものであり、（ａ）は斜視図、（ｂ）は左縦枠側から見た側面図、（Ｃ）は（ｂ）のＡ−Ａ線断面図である。
【図７】図７は、中間位置に位置する下部噛合部を示すものであり、（ａ）は斜視図、（ｂ）は左縦枠側から見た側面図、（Ｃ）は（ｂ）のＢ−Ｂ線断面図である。
【図８】図８は、下限位置に位置する下部噛合部を示すものであり、（ａ）は斜視図、（ｂ）は左縦枠側から見た側面図、（Ｃ）は（ｂ）のＣ−Ｃ線断面図である。
【図９】図９は、図１に示した建具の横断面を上方から見た場合を示す断面図である。
【図１０】図１０は、図９に示したステイ部材を拡大して示す平面図である。
【図１１】図１１は、建具の横断面を上方から見た場合を示す断面図である。
【図１２】図１２は、建具を室内側から見た場合を示す斜視図である。
【図１３】図１３は、建具の横断面を上方から見た場合を示す断面図である。
【図１４】図１４は、建具を室内側から見た場合を示す斜視図である。
【発明を実施するための形態】
【００１７】
以下に添付図面を参照して、本発明に係る建具の好適な実施の形態について詳細に説明する。
【００１８】
図１は、本発明の実施の形態である建具を室内側から見た場合を示す斜視図である。ここで例示する建具は、開口枠１０に対して障子２０が開口枠１０の見込み方向に沿って開閉自在に支持されたもので、いわゆる「多方向開放窓」と称されるものである。
【００１９】
開口枠１０は、上枠１１、下枠１２及び左右一対の縦枠１３，１４を四周枠組みすることによって構成された矩形状を成すものである。障子２０は、上框２１、下框２２及び左右一対の縦框２３，２４を四周框組みし、さらにこれらの框の間にガラス板等の面材２５を支持させて構成されたものである。
【００２０】
図２は、図１に示した建具を構成する障子２０の要部を示す分解斜視図であり、一部開口枠１０に取り付けられるものを含めている。以下においては、かかる図２を参照しつつ建具について説明する。
【００２１】
上記開口枠１０及び障子２０を有する建具においては、操作ハンドル３０、第１開閉機構４０及び第２開閉機構５０が備えられて構成されている。
【００２２】
操作ハンドル３０は、図１において左方に位置する第１框となる縦框２３（以下、「左縦框２３」ともいう）の室内面となる見付け面の略中央部に取り付けられている。操作ハンドル３０は、障子２０の見込み方向に沿った図示せぬ回転軸を中心に回転させることにより、把手部３０ａが下方に向けて延在する閉位置と、把手部３０ａが右方に向けて延在する９０°回転位置（第１開位置）と、把手部３０ａが上方に向けて延在する１８０°回転位置（第２開位置）との間を移動して中間作動部３１を駆動させるものである。
【００２３】
中間作動部３１は、図３の（ａ）に示すように、回転ギア３１１、連係ギア３１２、第１中間スライド部３１３及び第２中間スライド部３１４を備えて構成されている。回転ギア３１１は、操作ハンドル３０の回転により中心軸回りに回転するものである。連係ギア３１２は、回転ギア３１１と一部が噛み合っており、回転ギア３１１の回転に伴って中心軸回りに回転するものである。第１中間スライド部３１３は、左縦框２３の長手方向、すなわち上下方向に沿って延在する長尺状部材であり、下端部のギア部３１３ａが回転ギア３１１と噛み合っている。この第１中間スライド部３１３は、回転ギア３１１の回転に伴って左縦框２３の長手方向に沿ってスライド移動するものである。第２中間スライド部３１４は、左縦框２３の長手方向、すなわち上下方向に沿って延在する長尺状部材であって、第１中間スライド部３１３よりも室外側に配設されている。この第２中間スライド部３１４は、上端部のギア部３１４ａが連係ギア３１２と噛み合っており、連係ギア３１２の回転に伴って左縦框２３の長手方向に沿ってスライド移動するものである。
【００２４】
かかる中間作動部３１においては、操作ハンドル３０が閉位置にある場合、図３の（ａ）に示すように、第１中間スライド部３１３の先端部（上端部）と、第２中間スライド部３１４の先端部（下端部）との離間距離が最も小さくなっている。操作ハンドル３０が９０°回転位置にある場合、図３の（ｂ）に示すように、第１中間スライド部３１３が所定ストローク分だけ上方に向けてスライド移動するとともに、第２中間スライド部３１４が所定ストローク分だけ下方に向けてスライド移動することで、第１中間スライド部３１３の先端部（上端部）と、第２中間スライド部３１４の先端部（下端部）との離間距離が大きくなる。そして、操作ハンドル３０が１８０°回転位置にある場合、図３の（ｃ）に示すように、第１中間スライド部３１３が所定ストローク分だけ上方に向けてスライド移動するとともに、第２中間スライド部３１４が所定ストローク分だけ下方に向けてスライド移動することで、第１中間スライド部３１３の先端部（上端部）と、第２中間スライド部３１４の先端部（下端部）との離間距離がさらに大きくなる。
【００２５】
第１開閉機構４０は、上部開閉ユニット４０ａ及び下部開閉ユニット４０ｂを備えて構成されている。上部開閉ユニット４０ａは、上部噛合ピン４１と上部噛合部４２とを備えている。上部噛合ピン４１は、開口枠１０に対して障子２０を閉めた際に左縦框２３に対向する第１枠となる縦枠１３（以下、「左縦枠１３」ともいう）に配設されている。
【００２６】
上部噛合部４２は、上部スライダ３２に取り付けられている。ここで上部スライダ３２は、左縦框２３に配設されており、この左縦框２３の長手方向に沿って延在する長尺板状部材である。上部スライダ３２の下端部は、中間作動部３１を構成する第１中間スライド部３１３の上端部に連結されており、これにより上部スライダ３２は、操作ハンドル３０の操作による中間作動部３１の駆動に伴って左縦框２３の長手方向に沿ってスライド移動するものである。つまり、上部噛合部４２は、左縦框２３の長手方向に沿ってスライド移動するものである。
【００２７】
上部噛合部４２は、図４の（ａ）に示すように、上部噛合溝４２ａが形成されている。上部噛合溝４２ａは、左縦枠１３を臨むことが可能な面（左面）に形成されており、上部傾斜溝部４２１及び上部縦溝部４２２を有している。上部傾斜溝部４２１は、室外側に向かうに連れて漸次下方に傾斜するよう形成されている。上部縦溝部４２２は、上部傾斜溝部４２１の室外側延在端部に連続し、下方に向けて延在するよう形成されている。また、上部縦溝部４２２の室外側は開放されている。
【００２８】
また、上部噛合部４２は、室外側端部が左縦框２３の室外部２３ａよりも室外側に僅かに突出しており、左縦框２３の室外部２３ａに形成された切欠面２３ｂに摺接しながらスライド移動するものである。より詳細に説明すると、上部噛合部４２は、操作ハンドル３０が閉位置にある場合、図４の（ａ）に示すように、下限位置（第１基準位置）に位置しており、操作ハンドル３０が９０°回転位置に位置する場合、図４の（ｂ）に示すように、所定ストローク分だけ上方に向けてスライド移動して中間位置（第１変位位置）に位置し、さらに操作ハンドル３０が１８０°回転位置に位置する場合、図４の（ｃ）に示すように、所定ストローク分だけ上方に向けてスライド移動して上限位置（第２変位位置）に位置するものである。
【００２９】
このような上部開閉ユニット４０ａにおいては、上部噛合部４２が下限位置（第１基準位置）に位置している場合、図４の（ａ）に示すように上部噛合ピン４１が上部噛合溝４２ａにおける上部傾斜溝部４２１の室内側端部に進入している。
【００３０】
下部開閉ユニット４０ｂは、下部噛合ピン４３と下部噛合部４４とを備えている。下部噛合ピン４３は、上部噛合ピン４１と同様に、左縦枠１３に配設されており、上部噛合ピン４１よりも下方域に取り付けられている。
【００３１】
下部噛合部４４は、下部スライダ３３に取り付けられている。ここで下部スライダ３３は、左縦框２３に配設されており、この左縦框２３の長手方向に沿って延在する長尺板状部材である。下部スライダ３３の上端部は、中間作動部３１を構成する第２中間スライド部３１４の下端部に連結されており、これにより下部スライダ３３は、操作ハンドル３０の操作による中間作動部３１の駆動に伴って左縦框２３の長手方向に沿ってスライド移動するものである。つまり、下部噛合部４４は、左縦框２３の長手方向に沿ってスライド移動するものである。
【００３２】
下部噛合部４４は、図５の（ａ）に示すように、下部噛合溝４４ａが形成されている。下部噛合溝４４ａは、左縦枠１３を臨むことが可能な面（左面）に形成されており、下部傾斜溝部４４１及び下部縦溝部４４２を有している。下部傾斜溝部４４１は、室外側に向かうに連れて漸次上方に傾斜するよう形成されている。下部縦溝部４４２は、下方延在端部が下部傾斜溝部４４１の室外側延在端部に一致するよう下部傾斜溝部４４１に連続し、上方に向けて延在するよう形成されている。
【００３３】
また、下部噛合部４４は、室外側端部が左縦框２３の室外部２３ａよりも室外側に僅かに突出しており、左縦框２３の室外部２３ａに形成された切欠面２３ｂに摺接しながらスライド移動するものである。より詳細に説明すると、下部噛合部４４は、操作ハンドル３０が閉位置にある場合、図５の（ａ）に示すように、上限位置（第１基準位置）に位置しており、操作ハンドル３０が９０°回転位置に位置する場合、図５の（ｂ）に示すように、所定ストローク分だけ下方に向けてスライド移動して中間位置（第１変位位置）に位置し、さらに操作ハンドル３０が１８０°回転位置に位置する場合、図５の（ｃ）に示すように、所定ストローク分だけ下方に向けてスライド移動して下限位置（第２変位位置）に位置するものである。
【００３４】
このような下部開閉ユニット４０ｂにおいては、下部噛合部４４が上限位置（第１基準位置）に位置している場合、図５の（ａ）に示すように下部噛合ピン４３が下部噛合溝４４ａにおける下部傾斜溝部４４１の室内側端部に進入している。
【００３５】
上記下部噛合部４４には、図６〜図８に示すように、ストッパ部材４５が設けられている。ストッパ部材４５は、下部噛合溝４４ａの延在端部、すなわち下部縦溝部４４２の上方延在端部に連続する通過域４６に進退移動するよう開口枠１０の見込み方向（室内外方向）に沿って移動可能に配設されており、図示せぬストッパばねに常時室外側に向けて移動するよう付勢されている。このストッパ部材４５には、障子２０の面材２５側に向けて突出する突部４５ａが形成されており、その室外側端部の下部には、室内側に向かうに連れて漸次下方に傾斜する傾斜面４５ｂが形成されている。ここで通過域４６は、下部噛合溝４４ａに対する下部噛合ピン４３の進入及び離脱を許容する領域である。
【００３６】
図６の（ａ）〜（ｃ）に示すように下部噛合部４４が上限位置に位置している場合には、ストッパ部材４５は、突部４５ａが左縦框２３の室外部２３ａに当接して室外側に向けての移動が規制されており、通過域４６から退行移動した状態となる。また、図７の（ａ）〜（ｃ）に示すように下部噛合部４４が中間位置に位置している場合には、ストッパ部材４５は、突部４５ａが左縦框２３の室外部２３ａに当接して室外側に向けての移動が規制されており、通過域４６から退行移動した状態となる。そして、図８の（ａ）〜（ｃ）に示すように下部噛合部４４が下限位置に位置している場合には、ストッパ部材４５は、突部４５ａが左縦框２３の室外部２３ａに形成された切欠開口部２３ｃに進入することが可能になり、下部噛合ピン４３が通過域４６に存在しなければ、通過域４６に進出移動した状態となる。
【００３７】
このようにストッパ部材４５が通過域４６に進出移動した状態となる場合には、下部噛合部４４を上方に向けてスライド移動させようとしてもストッパ部材４５の突部４５ａが切欠開口部２３ｃの開口縁部に当接することとなり、下部噛合部４４のスライド移動を規制する。
【００３８】
第２開閉機構５０は、下框側開閉ユニット５０ａ及び上框側開閉ユニット５０ｂを備えて構成されている。図９は、図１に示した建具の横断面を上方から見た場合を示す断面図である。かかる図９を参照しながら下框側開閉ユニット５０ａについて説明する。尚、上框側開閉ユニット５０ｂは、下框側開閉ユニット５０ａと上下の構成が異なるだけでその他の構成が同一であるので説明を割愛する。
【００３９】
下框側開閉ユニット５０ａは、下框スライダ５１とステイ部材５２とを備えて構成されている。下框スライダ５１は、左縦框（第１框）２３に連結された下框（第２框）２２に配設されており、この下框２２の長手方向に沿って延在する長尺板状部材である。下框スライダ５１の左端部は、図２に示すように、コーナードライブ３４を介して下部スライダ３３の下端部に連結されており、これにより下框スライダ５１は、操作ハンドル３０の操作による中間作動部３１の駆動に伴って下框２２の長手方向に沿ってスライド移動するものである。
【００４０】
下框スライダ５１は、第１貫通長孔５１１、第２貫通長孔５１２及びスライダピン（突起部）５１３を備えて構成されている。第１貫通長孔５１１は、下框スライダ５１の室外側に近接した領域において、下框スライダ５１の長手方向が自身の長手方向となるよう延在している。第２貫通長孔５１２は、下框スライダ５１の室外側に近接した領域における第１貫通長孔５１１の右側において、下框スライダ５１の長手方向が自身の長手方向となるよう延在している。スライダピン５１３は、第１貫通長孔５１１と第２貫通長孔５１２との間であってこれら第１貫通長孔５１１及び第２貫通長孔５１２よりも室内側となる領域に下方に向けて突出するよう設けられている。
【００４１】
ステイ部材５２は、下枠１２に設けられた基板５３に２つのリンクアーム部材５４，５５を介して連結されており、図９に示すように開口枠１０に対して障子２０を閉めた状態にある場合、障子２０の見付け方向（下框スライダ５１の長手方向）に沿って延在する長尺板状部材である。このステイ部材５２には、図１０に拡大して示すように、連結ピン５２１、連結長孔５２２及び開閉長孔５２３を備えて構成されている。
【００４２】
連結ピン５２１は、ステイ部材５２から上方に突出するよう設けられており、該ステイ部材５２と障子２０の下框２２とを連結するものである。この連結ピン５２１は、下框スライダ５１の第１貫通長孔５１１を貫通している。連結長孔５２２は、図９において室内外方向が長手方向となるものであり、障子２０の下框２２に設けられ、かつ下框スライダ５１の第２貫通長孔５１２を貫通する図示せぬ框ピンを進入させるためのものである。
【００４３】
開閉長孔５２３は、下框スライダ５１に設けられたスライダピン５１３を進入させるもので、第１長孔部５２３ａ、第２長孔部（第１傾斜孔部）５２３ｂ及び第３長孔部（第２傾斜孔部）５２３ｃを有している。第１長孔部５２３ａは、ステイ部材５２の長手方向に沿って延在するものであり、より詳細には、自身にスライダピン５１３が進入する場合における下框２２の長手方向（障子２０の見付け方向）に沿って延在するものである。第２長孔部５２３ｂは、第１長孔部５２３ａに連続して形成されて該第１長孔部５２３ａの長手方向に対して傾斜する方向に延在するものであり、より詳細には、右側に向かうに連れて漸次室内側（障子２０の開移動する方向）に向けて傾斜するよう延在するものである。第３長孔部５２３ｃは、第２長孔部５２３ｂに連続して形成されて該第２長孔部５２３ｂの長手方向に対して傾斜する方向に延在するものであり、より詳細には、第２長孔部５２３ｂから自身にスライダピン５１３が進入した際の下框２２の長手方向（障子２０の見付け方向）に沿って延在するものである。
【００４４】
このような下框側開閉ユニット５０ａにおいては、操作ハンドル３０が閉位置にある場合、図９に示すように、下框スライダ５１が左限位置（第２基準位置）に位置している。この場合、連結ピン５２１が第１貫通長孔５１１の右端部を貫通し、かつ框ピンが第２貫通長孔５１２の右端部を貫通するとともに連結長孔５２２の室外側端部を貫通しており、さらにスライダピン５１３が開閉長孔５２３の左端部、すなわち第１長孔部５２３ａの左端部を貫通しており、これにより、ステイ部材５２は下枠１２と上下に重なった状態となっている。
【００４５】
尚、上框側開閉ユニット５０ｂは、上框スライダ５６とステイ部材５７とを備えて構成されている。上框スライダ５６は、左縦框（第１框）２３に連結された上框（第２框）２１に配設されており、この上框２１の長手方向に沿って延在する長尺板状部材である。上框スライダ５６の左端部は、図２に示すように、コーナードライブ３５を介して上部スライダ３２の上端部に連結されており、これにより上框スライダ５６は、操作ハンドル３０の操作による中間作動部３１の駆動に伴って上框２１の長手方向に沿ってスライド移動するものである。ステイ部材５７は、上下構成は異なるが、下框側開閉ユニット５０ａを構成するステイ部材５２と構成は同じである。
【００４６】
以上のような構成を有する建具においては、操作ハンドル３０が閉位置にある場合、上部噛合部４２が下限位置に位置することで上部噛合ピン４１が上部噛合溝４２ａにおける上部傾斜溝部４２１の室内側端部に進入している。また、下部噛合部４４が上限位置に位置することで下部噛合ピン４３が下部噛合溝４４ａにおける下部傾斜溝部４４１の室内側端部に進入している。さらに下框スライダ５１が左限位置に位置してステイ部材５２が上枠１１と上下に重なった状態となっている。これにより、開口枠１０に対して障子２０が閉まった状態となっている。
【００４７】
このような状態から操作ハンドル３０が閉位置から９０°回転位置まで操作されると、上部噛合部４２が下限位置から中間位置までスライド移動するとともに、下部噛合部４４が上限位置から中間位置までスライド移動することとなる。上部噛合部４２が下限位置から中間位置までスライド移動すると、図４の（ｂ）に示すように、上部噛合ピン４１が上部傾斜溝部４２１を室外側に向けて相対的に移動することとなる。また、下部噛合部４４が上限位置から中間位置までスライド移動すると、図５の（ｂ）に示すように、下部噛合ピン４３が下部傾斜溝部４４１を室外側に向けて相対的に移動することとなる。これにより、障子２０の左縦框２３側を室内側に向けて所定量開移動させることができる。
【００４８】
また、操作ハンドル３０が閉位置から９０°回転位置まで操作されると、下框スライダ５１が左限位置から所定ストローク分だけ右方にスライド移動して中間位置（第１移動位置）に位置することとなる。このように下框スライダ５１が左限位置から中間位置までスライド移動すると、スライダピン５１３が開閉長孔５２３の第１長孔部５２３ａから第２長孔部５２３ｂに進入して該第２長孔部５２３ｂを移動することにより、ステイ部材５２を開口枠１０の室内側に向かって移動させつつ回動させることができる。
【００４９】
尚、図示していないが、上框側開閉ユニット５０ｂにおいても上框スライダ５６が所定ストローク分だけ右方にスライド移動することで該上框側開閉ユニット５０ｂを構成するステイ部材５７を開口枠１０の室内側に向かって移動させつつ回動させることができる。
【００５０】
このようにステイ部材５２，５７を開口枠１０の室内側に向かって移動させつつ回動させることにより、障子２０の右側の縦框２４（以下、「右縦框２４」ともいう）側を室内側に向けて所定量開移動させることができる。
【００５１】
第１開閉機構４０が障子２０の左縦框２３側を室内側に向けて所定量開移動させるとともに、第２開閉機構５０が障子２０の右縦框２４側を室内側に向けて所定量開移動させることにより、図１１や図１２に示すように、障子２０全体を開口枠１０に対して室内側に平行に突き出した状態にすることができる。このように障子２０全体を開口枠１０に対して室内側に平行に突き出した状態にすることで、障子２０の上下左右に開口枠１０との隙間が形成され、換気性能の向上を図ることができる。
【００５２】
このように障子２０全体が開口枠１０に対して室内側に平行に突き出した状態となる場合、図５の（ｂ）に示すように、下部噛合ピン４３が下部傾斜溝部４４１を相対的に移動して下部縦溝部４４２の下方延在端部（下部傾斜溝部４４１の室外側延在端部）に至ることになる。この下部縦溝部４４２は、上下方向に沿って延在しており、室外側が開放されているわけではないので、下部縦溝部４４２における下方延在端部に進入する下部噛合ピン４３が室外側に向けて移動することが規制されている。そのため、開口枠１０に対して室内側に平行に突き出した状態にある障子２０を操作ハンドル３０を操作されずに室内側に向けて開移動することを抑制することができる。
【００５３】
このような状態から操作ハンドル３０が９０°回転位置から１８０°回転位置まで操作されると、上部噛合部４２が中間位置から上限位置までスライド移動するとともに、下部噛合部４４が中間位置から下限位置までスライド移動することとなる。上部噛合部４２が中間位置から上限位置までスライド移動すると、図４の（ｃ）に示すように、上部噛合ピン４１が上部縦溝部４２２を下方に向けて相対的に移動することとなる。また、下部噛合部４４が中間位置から下限位置までスライド移動すると、図５の（ｃ）に示すように、下部噛合ピン４３が下部縦溝部４４２を上方に向けて相対的に移動して通過域４６に至ることとなる。下部噛合部４４が下限位置に位置すると、ストッパ部材４５は、突部４５ａが左縦框２３の室外部２３ａに形成された切欠開口部２３ｃに進入することが可能になり、通過域４６に進出移動可能な状態となるが、下部噛合ピン４３が通過域４６に存在するので、ストッパ部材４５の通過域４６に対する進出移動は規制される。
【００５４】
上部噛合ピン４１が進入する上部縦溝部４２２は室外側が開放されており、しかも下部噛合ピン４３は通過域４６に存在しているので、障子２０の左縦框２３側を開閉端とさせることができる。
【００５５】
また、操作ハンドル３０が９０°回転位置から１８０°回転位置まで操作されると、下框スライダ５１が中間位置から所定ストローク分だけ右方にスライド移動して右限位置（第２移動位置）に位置することとなる。このように下框スライダ５１が中間位置から右限位置までスライド移動すると、連結ピン５２１が第１貫通長孔５１１の左端部に至るとともに、框ピンが第２貫通長孔５１２の左端部に至る。また、スライダピン５１３が開閉長孔５２３の第２長孔部５２３ｂから第３長孔部５２３ｃに進入して該第３長孔部５２３ｃを移動して第３長孔部５２３ｃの延在端部に至る。ここで第３長孔部５２３ｃは、第２長孔部５２３ｂからスライダピン５１３が進入した際の下框２２の長手方向（障子２０の見付け方向）に沿って延在しているので、下框スライダ５１とステイ部材５２とは下框スライダ５１が中間位置に位置する際の互いの角度関係が維持され、障子２０が開閉移動されることを許容する。
【００５６】
尚、図示していないが、上框側開閉ユニット５０ｂにおいても上框スライダ５６が所定ストローク分だけ右方にスライド移動することで該上框側開閉ユニット５０ｂを構成するステイ部材５７と上框スライダ５６との互いの角度関係が維持されて障子２０が開閉移動されることを許容する。
【００５７】
第１開閉機構４０が障子２０の左縦框２３側を開閉端とさせるとともに、第２開閉機構５０が障子２０が開閉移動されることを許容することにより、図１３や図１４に示すように、障子２０全体を室内側に平行に突き出した状態から障子２０を室内側に向けて必要な開度分だけ開移動させることができ、障子２０の清掃を良好に行うことができる。
【００５８】
また、障子２０を開移動させると下部噛合部４４の通過域４６に存在する下部噛合ピン４３がかかる通過域４６から離脱する結果、ストッパ部材４５が通過域４６に進出移動した状態となり、ストッパ部材４５の突部４５ａが切欠開口部２３ｃに進入することになる。そのため下部噛合溝４４ａのスライド移動が規制されることにより、操作ハンドル３０を所定の位置（１８０°回転位置）に維持することができる。
【００５９】
次に開移動させた障子２０を閉移動させる場合について説明する。図１３及び図１４に示すように開移動させた障子２０を閉移動させることにより、上部噛合ピン４１が上部噛合部４２の上部噛合溝４２ａ（上部縦溝部４２２）の延在端部に相対的に進入するとともに、下部噛合ピン４３が下部噛合溝４４ａ部の通過域４６に相対的に進入することになる。このように下部噛合ピン４３が通過域４６に進入する結果、該通過域４６に進出移動した状態にあったストッパ部材４５は、該下部噛合ピン４３に押圧されることでストッパばねの付勢力に抗して通過域４６から退行移動する。これによりストッパ部材４５の突部４５ａも切欠開口部２３ｃから離脱することとなり、下部噛合溝４４ａのスライド移動が許容され、操作ハンドル３０の操作することができる。
【００６０】
そして、操作ハンドル３０を１８０°回転位置から９０°回転位置まで操作されると、上部噛合部４２が上限位置から中間位置までスライド移動することにより上部噛合ピン４１が上部噛合部４２の上部縦溝部４２２を相対的に移動するとともに、下部噛合部４４が下限位置から中間位置までスライド移動することにより下部噛合ピン４３が下部噛合部４４の下部縦溝部４４２を相対的に移動する。また下框スライダ５１が右限位置から中間位置まで移動することでスライダピン５１３が開閉長孔５２３の第３長孔部５２３ｃを移動する。これにより、図１１及び図１２に示すような障子２０全体を室内側に平行に突き出した状態にすることができる。
【００６１】
さらに操作ハンドル３０を９０°回転位置から閉位置まで操作されると、上部噛合部４２が中間位置から下限位置までスライド移動することにより上部噛合ピン４１が上部噛合部４２の上部傾斜溝部４２１を相対的に移動するとともに、下部噛合部４４が中間位置から上限位置までスライド移動することにより下部噛合ピン４３が下部噛合部４４の下部傾斜溝部４４１を相対的に移動する。また下框スライダ５１が中間位置から左限位置まで移動することでスライダピン５１３が開閉長孔５２３の第２長孔部５２３ｂ及び第１長孔部５２３ａを移動する。これにより、図１及び図９に示すような開口枠１０に対して障子２０を閉めた状態にすることができる。
【００６２】
以上説明したような本実施の形態である建具においては、中間作動部３１、上部スライダ３２、下部スライダ３３、コーナードライブ３４，３５が操作ハンドル３０の操作を伝達する連係手段を構成している。
【００６３】
上記建具においては、操作ハンドル３０が閉位置から９０°回転位置に操作されることにより、障子２０全体を室内側に平行に突き出した状態にすることができるので、換気
性能の向上を図ることができる。また操作ハンドル３０が９０°回転位置から１８０°回転位置に操作されることにより、障子２０全体を室内側に平行に突き出した状態から障子２０を室内側に向けて必要な開度分だけ開移動させることができ、障子２０の清掃を良好に行うことができる。しかも操作ハンドル３０が操作されるだけで障子２０の開移動パターンを調整できるので、操作性を良好なものとすることができる。従って、上記建具によれば、操作性の向上を図るとともに、換気と清掃とを良好に行うことができる。
【００６４】
上記建具によれば、下部噛合部４４が下限位置に位置する場合において下部噛合ピン４３が通過域４６を通じて離脱するときには、ストッパ部材４５が通過域４６に対して進出移動することで下部噛合部４４のスライド移動を規制するので、操作ハンドル３０を１８０°回転位置に維持させることができる。これにより、障子２０を開口枠１０に対して必要な開度分だけ開閉移動させる際に操作ハンドル３０が操作されることを抑制することができる。
【００６５】
上記建具によれば、第１開閉機構４０を構成する上部噛合ピン４１及び下部噛合ピン４３を左縦枠１３に配設したので、左縦枠１３に上部噛合部４２や下部噛合部４４を配設するのに比して目立たなくすることができ、意匠性にも優れたものとすることができる。
【００６６】
上記建具によれば、第２開閉機構５０を構成する下框スライダ５１及び上框スライダ５６にスライダピン５１３を形成し、かつステイ部材５２，５７に開閉長孔５２３を形成したので、下框スライダ５１及び上框スライダ５６における障子２０の見込み方向に沿った長さが過大なものとなることを抑制することができる。
【００６７】
以上、本発明の好適な実施の形態について説明したが、本発明はこれに限定されるものではなく、種々の変更を行うことができる。
【００６８】
上述した実施の形態では、操作ハンドル３０は、閉位置と、９０°回転位置と、１８０°回転位置との間で回転するものであったが、本発明は、操作ハンドルの回転角度は特に限定されるものではない。
【００６９】
上述した実施の形態では、障子２０が室内側に向けて開移動するものであったが、本発明においては、障子が室外側に向けて開移動するものであってもよい。
【００７０】
上述した実施の形態では、第１開閉機構４０が左縦枠１３と左縦框２３との間に設けられ、第２開閉機構５０が上枠１１と上框２１との間、並びに下枠１２と下框２２との間に設けられることにより、建具が縦すべり出し窓としての機能を有するものであったが、本発明においては、建具が横すべり出し窓としての機能を有するものであってもよい。つまり、第１開閉機構が下枠と下框との間に設けられ、第２開閉機構５０が縦枠と縦框との間に設けられるものであってもよい。
【符号の説明】
【００７１】
１０  開口枠
１１  上枠
１２  下枠
１３  左縦枠
１４  縦枠
２０  障子
２１  上框
２２  下框
２３  左縦框
２４  右縦框
２５  面材
３０  操作ハンドル
３１  中間作動部
４０  第１開閉機構
４０ａ  上部開閉ユニット
４０ｂ  下部開閉ユニット
４１  上部噛合ピン
４２  上部噛合部
４２ａ  上部噛合溝
４２１  上部傾斜溝部
４２２  上部縦溝部
４３  下部噛合ピン
４４  下部噛合部
４４ａ  下部噛合溝
４４１  下部傾斜溝部
４４２  下部縦溝部
４５  ストッパ部材
４５ａ  突部
４６  通過域
５０  第２開閉機構
５０ａ  下框側開閉ユニット
５０ｂ  上框側開閉ユニット
５１  下框スライダ
５１１  第１貫通長孔
５１２  第２貫通長孔
５１３  スライダピン
５２  ステイ部材
５２１  連結ピン
５２２  連結長孔
５２３  開閉長孔
５２３ａ  第１長孔部
５２３ｂ  第２長孔部
５２３ｃ  第３長孔部
【図１】
2014118803.tif 000003
【図２】
2014118803.tif 000004
【図３】
2014118803.tif 000005
【図４】
2014118803.tif 000006
【図５】
2014118803.tif 000007
【図６】
2014118803.tif 000008
【図７】
2014118803.tif 000009
【図８】
2014118803.tif 000010
【図９】
2014118803.tif 000011
【図１０】
2014118803.tif 000012
【図１１】
2014118803.tif 000013
【図１２】
2014118803.tif 000014
【図１３】
2014118803.tif 000015
【図１４】
2014118803.tif 000016